(57)【要約】      （修正有）【課題】中継器が起動してから感知器の試験を正常に実施することができるようになるまでの時間を短縮することのできる火災感知システム及び中継器を提供する。【解決手段】中継器２は、予め割り当てられた接続確認期間において、感知器４が中継器２と通信可能な状態で感知器線に接続されていることを確認するために用いられる接続確認信号を感知器線に送信する接続確認処理部２７３と、火災受信機１から試験指示を受信する指示処理部２７２と、指示処理部２７２が試験指示を受信したことに応じて、中継器２に接続されている感知器４に試験確認信号を送信する試験処理部２７４と、を有する。接続確認処理部２７３は、接続確認信号を送信する前に試験指示を受信した場合に、中継器２に接続されている感知器線に、接続確認期間よりも前の代替期間において接続確認信号を送信する。【選択図】図４
2020123278.tif 000002
【特許請求の範囲】
【請求項１】
警備員又は施設管理者に火災の発生を通知する火災受信機に接続される複数の中継器と、信号線を介して前記中継器に接続された火災を感知する感知器と、を備える火災感知システムであって、
前記複数の中継器のそれぞれは、
予め前記中継器に割り当てられた接続確認期間において、前記感知器が前記中継器と通信可能な状態で前記信号線に接続されていることを確認するために用いられる接続確認信号を前記信号線に送信する接続確認処理部と、
前記火災受信機から試験指示を受信する指示処理部と、
前記指示処理部が前記試験指示を受信したことに応じて、前記中継器に接続されている前記感知器に、試験結果を送信することを要求する試験確認信号を送信する試験処理部と、
を有し、
前記接続確認処理部は、前記接続確認処理部が前記接続確認信号を送信する前に前記指示処理部が前記試験指示を受信した場合に、前記中継器に接続されている前記信号線に、前記接続確認期間よりも前の代替期間において前記接続確認信号を送信し、
前記感知器は、
前記中継器から前記接続確認信号を受信すると、前記接続確認信号を送信した前記中継器に応答信号を送信する応答信号送信部を有する、
火災感知システム。
【請求項２】
前記複数の中継器には、それぞれ異なる期間に前記接続確認期間が割り当てられており、
前記接続確認処理部は、前記接続確認処理部が前記接続確認信号を送信する前に前記指示処理部が前記試験指示を受信した場合に、他の中継器に割り当てられた前記接続確認期間と異なる前記代替期間において前記接続確認信号を送信する、
請求項１に記載の火災感知システム。
【請求項３】
前記接続確認処理部は、前記試験処理部が前記試験確認信号を送信することが可能な期間を前記代替期間として前記接続確認信号を送信する、
請求項２に記載の火災感知システム。
【請求項４】
前記接続確認処理部は、他の複数の前記中継器に割り当てられた複数の前記接続確認期間の間の期間を前記代替期間として前記接続確認信号を送信する、
請求項２又は３に記載の火災感知システム。
【請求項５】
警備員又は施設管理者に火災の発生を通知する火災受信機に接続され、信号線を介して感知器に接続される中継器であって、
予め前記中継器に割り当てられた接続確認期間において、前記感知器が前記中継器と通信可能な状態で前記信号線に接続されていることを確認するために用いられる接続確認信号を前記信号線に送信する接続確認処理部と、
前記火災受信機から試験指示を受信する指示処理部と、
前記指示処理部が前記試験指示を受信したことに応じて、前記中継器に接続されている前記感知器に、試験結果を送信することを要求する試験確認信号を送信する試験処理部と、
を有し、
前記接続確認処理部は、前記接続確認処理部が前記接続確認信号を送信する前に前記指示処理部が前記試験指示を受信した場合に、前記中継器に接続されている前記信号線に、前記接続確認期間よりも前の代替期間において前記接続確認信号を送信する中継器。
【発明の詳細な説明】
【技術分野】
【０００１】
本発明は、火災感知システム及び中継器に関する。
【背景技術】
【０００２】
従来、火災受信機を備える火災感知システムにおいて、複数の火災感知器を複数の信号線に接続できる構成が知られている（例えば、特許文献１参照）。特許文献１に記載された火災感知システムにおける火災受信機には、複数の中継器が接続されている。複数の中継器のそれぞれには、デイジーチェーン接続された複数の火災感知器が接続されている。
【先行技術文献】
【特許文献】
【０００３】
【特許文献１】特許第４６８３４７４号公報
【発明の概要】
【発明が解決しようとする課題】
【０００４】
火災感知システムにおいては、感知器が正常に動作していることを確認するために、火災受信機からの試験指示に基づいて、中継器が感知器に対して試験信号を送信する。中継器は、試験信号に応じて感知器から応答信号を正常に受信した場合に、感知器が正常に動作していると判定する。
【０００５】
しかしながら、中継器は、感知器が中継器と通信可能な状態で信号線に接続されていることを確認できていない状態で試験信号を送信しても、感知器が正常に動作しているか否かの判定ができない。したがって、中継器は、起動してから十分な時間が経過しておらず、感知器が中継器と通信可能な状態で信号線に接続されていることを確認できていない状態で火災受信機から試験指示を受けた場合、感知器を正常に試験できないという問題があった。
【０００６】
そこで、本発明はこれらの点に鑑みてなされたものであり、中継器が起動してから感知器の試験を正常に実施することができるようになるまでの時間を短縮することを目的とする。
【課題を解決するための手段】
【０００７】
本発明の第１の態様の火災感知システムは、警備員又は施設管理者に火災の発生を通知する火災受信機に接続される複数の中継器と、信号線を介して前記中継器に接続された火災を感知する感知器と、を備える火災感知システムである。前記複数の中継器のそれぞれは、予め前記中継器に割り当てられた接続確認期間において、前記感知器が前記中継器と通信可能な状態で前記信号線に接続されていることを確認するために用いられる接続確認信号を前記信号線に送信する接続確認処理部と、前記火災受信機から試験指示を受信する指示処理部と、前記指示処理部が前記試験指示を受信したことに応じて、前記中継器に接続されている前記感知器に、試験結果を送信することを要求する試験確認信号を送信する試験処理部と、を有する。前記接続確認処理部は、前記接続確認処理部が前記接続確認信号を送信する前に前記指示処理部が前記試験指示を受信した場合に、前記中継器に接続されている前記信号線に、前記接続確認期間よりも前の代替期間において前記接続確認信号を送信する。前記感知器は、前記中継器から前記接続確認信号を受信すると、前記接続確認信号を送信した前記中継器に応答信号を送信する応答信号送信部を有する。
【０００８】
前記複数の中継器には、それぞれ異なる期間に前記接続確認期間が割り当てられており、前記接続確認処理部は、前記接続確認処理部が前記接続確認信号を送信する前に前記指示処理部が前記試験指示を受信した場合に、他の中継器に割り当てられた前記接続確認期間と異なる前記代替期間において前記接続確認信号を送信してもよい。
【０００９】
前記接続確認処理部は、前記試験処理部が前記試験確認信号を送信することが可能な期間を前記代替期間として前記接続確認信号を送信してもよい。
【００１０】
前記接続確認処理部は、他の複数の前記中継器に割り当てられた複数の前記接続確認期間の間の期間を前記代替期間として前記接続確認信号を送信してもよい。
【００１１】
本発明の第２の態様の中継器は、警備員又は施設管理者に火災の発生を通知する火災受信機に接続され、信号線を介して感知器に接続される中継器であって、予め前記中継器に割り当てられた接続確認期間において、前記感知器が前記中継器と通信可能な状態で前記信号線に接続されていることを確認するために用いられる接続確認信号を前記信号線に送信する接続確認処理部と、前記火災受信機から試験指示を受信する指示処理部と、前記指示処理部が前記試験指示を受信したことに応じて、前記中継器に接続されている前記感知器に、試験結果を送信することを要求する試験確認信号を送信する試験処理部と、を有し、前記接続確認処理部は、前記接続確認処理部が前記接続確認信号を送信する前に前記指示処理部が前記試験指示を受信した場合に、前記中継器に接続されている前記信号線に、前記接続確認期間よりも前の代替期間において前記接続確認信号を送信する。
【発明の効果】
【００１２】
本発明によれば、中継器が起動してから感知器の試験を正常に実施することができるようになるまでの時間を短縮することができるという効果を奏する。
【図面の簡単な説明】
【００１３】
【図１】火災感知システムの構成を示す図である。
【図２】中継器が感知器に各種の信号を送信するタイミングについて説明するための図である。
【図３】中継器が接続確認信号を送信する前に火災受信機から試験指示を受信した場合の動作を説明するための図である。
【図４】中継器の構成を示す図である。
【図５】タイミング生成部が生成するタイミング信号について説明するための図である。
【図６】感知器の構成を示す図である。
【図７】中継器の動作フローチャートである。
【発明を実施するための形態】
【００１４】
［火災感知システムＳの概要］
図１は、本実施形態に係る火災感知システムＳの構成を示す図である。火災感知システムＳは、火災受信機１と、複数の中継器２と、複数の中継器２を収容する中継盤３と、複数の感知器４と、複数の終端器５とを備える。
【００１５】
伝送線Ｌ１は、火災受信機１と複数の中継器２とを接続する信号線である。感知器線Ｌ２は、中継器２と感知器４との間で信号が伝送される信号線である。中継器２、感知器４及び終端器５は、感知器線Ｌ２に接続されている。終端器５は、感知器線Ｌ２の断線を検出するために用いられる終端抵抗又は終端コンデンサを有する。感知器線Ｌ２に終端器５が接続されていることにより、中継器２は感知器４が接続されているか否かによらず感知器線Ｌ２の断線を検出することができる。
【００１６】
火災受信機１は、伝送線Ｌ１を介して複数の中継器２と接続されている。火災受信機１は、例えば３秒周期で複数の中継器２に順次ポーリングをして、中継器２から情報を収集する。火災受信機１は、中継器２を介して１以上の感知器４の少なくともいずれかが火災を感知したことを特定すると、警備員又は施設管理者に火災の発生を通知する。警備員又は施設管理者は、火災受信機１の通知を認識することができる任意の人を含む。
【００１７】
複数の中継器２のそれぞれは、伝送線Ｌ１を介して火災受信機１と接続されている。また、複数の中継器２のそれぞれは、感知器線Ｌ２を介して１以上の感知器４と接続されている。中継器２は、火災受信機１からポーリングを受けたことに応じて、火災受信機１に通知する情報を送信する。中継器２は、通常は、例えば１６ビット幅のデータを送信し、感知器４のアドレスを含む情報を送信する場合には、通常よりも多いビット幅（例えば６４ビット幅）のデータを送信する。
【００１８】
感知器４は、例えばオンオフ型の火災感知器であり、感知器４を識別するアドレスが予め割り当てられている。感知器４は、火災を感知すると、感知器線Ｌ２の電位を変化させることにより、火災を感知したことを中継器２に通知する。その後、感知器４は、中継器２から火災の発生を確認するための火災確認信号を受信すると、感知器４のアドレスに割り当てられた期間に、火災を感知したことを示す火災確認応答信号を感知器４に送信する。
【００１９】
図２は、中継器２が感知器４に各種の信号を送信するタイミングについて説明するための図である。図２における水平方向は時刻に対応している。
【００２０】
図２に示すように、複数の中継器２のそれぞれが少なくとも一部の信号を送受信する期間は、中継器２のアドレスに関連付けて定められている。図２に示す例において、Ｓ１は中継器２−１に対応する期間であり、Ｓ２は中継器２−２に対応する期間であり、Ｓｎ（ｎは自然数）は、中継器２−ｎに対応する期間である。中継器２は、内部のタイマを用いて、火災受信機１から受信した基準タイミングからの経過時間を特定し、特定した経過時間に基づいて、自身のアドレスに対応する期間が到来したか否かを判定する。中継器２は、自身のアドレスに対応する期間が到来したと判定した場合に、自身が接続された感知器線Ｌ２に接続されている感知器４のアドレスを確認するための接続確認信号を送信する。
【００２１】
中継器２のそれぞれに割り当てられている期間には、接続確認期間（Ｃ）、試験確認期間（Ｔ）、及び火災確認期間（Ｆ）の３つの期間が含まれている。接続確認期間は、感知器４が感知器線Ｌ２に接続されているかどうかを確認するための期間である。試験確認期間は、感知器４が正常に動作しているかどうかを試験した結果を確認するための期間である。火災確認期間は、いずれかの感知器４が火災を感知した場合に、どの感知器４が火災を感知したかを確認するための期間である。
【００２２】
接続確認期間には、当該期間が割り当てられた中継器２が接続確認信号を送信可能な第１期間（例えば図２におけるＣ１１）、及び当該接続確認信号に対する応答である接続確認応答信号を感知器４が送信可能な第２期間（例えば図２におけるＣ１２）が含まれている。第２期間は、中継器２が接続可能な感知器４の数に対応する、感知器４のアドレスに関連付けられた複数のサブ期間に分けられている。接続確認信号を受信した感知器４のそれぞれは、自身のアドレスに対応するサブ期間に、接続確認信号に対する接続確認応答信号を送信する。接続確認応答信号は、所定の論理値のデータであり、例えば「０」である。
【００２３】
中継器２は、接続確認応答信号を送信した感知器４のアドレスを記憶する。また、中継器２は、例えば火災受信機１からポーリングを受けたことに応じて、新たに接続された感知器４、又は接続されていない状態に変化した感知器４（すなわち脱落した感知器４）のアドレスを含む接続確認報告を火災受信機１に送信する。
【００２４】
火災確認期間には、中継器２が火災確認信号を送信可能な火災確認期間（例えば図２におけるＦ１１）、及び当該火災確認信号に対する応答である火災確認応答信号を感知器４が送信可能な第６期間（例えば図２におけるＦ１２）が含まれている。第５期間は、感知器線の電圧が、感知器線に接続された感知器４のいずれかが火災を感知したことを示す電圧になったことに応じて、火災を感知した感知器４を特定するための火災確認信号を中継器２が送信するための期間である。
【００２５】
火災確認信号を受信した感知器４のうち、火災を感知している感知器４は、火災確認信号を受信した直後の第６期間における自身のアドレスに対応するサブ期間に火災確認応答信号を送信する。感知器４は、例えば、予め火災を感知したことを示すフラグを記憶しておき、火災確認信号を受信した時点で当該フラグが火災を感知したことを示している場合に、火災確認応答信号を送信する。中継器２は、例えば火災受信機１からポーリングを受けたことに応じて、火災を感知した感知器４のアドレスを含む火災確認報告を火災受信機１に送信する。
【００２６】
試験確認期間には、中継器２が試験確認信号を送信可能な第３期間（例えば図２におけるＴ１１）、及び当該試験確認信号に対する応答である試験確認応答信号を感知器４が送信可能な第４期間（例えば図２におけるＴ１２）が含まれている。試験確認期間は、中継器２が火災受信機１から自動試験を実行する指示を受信したことに応じて、中継器２が感知器４に対して試験確認信号を送信し、感知器４から試験結果を受信するための期間である。本実施の形態の第３期間においては、火災受信機１から自動試験の指示を受信した任意の中継器２が試験確認信号を送信することが想定されている。
【００２７】
試験確認信号を受信した感知器４のそれぞれは、試験確認信号を受信した直後の第４期間における自身のアドレスに対応するサブ期間に試験確認応答信号を送信する。感知器４は、例えば、予め試験を実施した結果を記憶しておき、記憶しておいた試験結果を送信する。
【００２８】
中継器２は、試験確認信号を送信した後に受信した試験確認応答信号に基づいて、受信した試験結果が良好でない感知器４のアドレスを特定する。具体的には、中継器２は、接続確認応答信号を受信済の感知器４のうち、良好でない試験結果を送信した感知器４、及び試験確認応答信号が送信されない感知器４に問題があると判定する。中継器２は、問題があると判定した感知器４のアドレスを特定し、特定したアドレスを含む試験結果報告を火災受信機１に送信する。中継器２は、例えば火災受信機１からポーリングを受けたことに応じて試験結果報告を火災受信機１に送信する。
【００２９】
ところで、第１期間〜第６期間のそれぞれの長さが０．５秒である場合、第１期間から第６期間までの合計時間は３秒となる。中継器２が２５５台ある場合、全ての中継器２が接続確認信号を送信して感知器４の接続状態を確認するまでに、３秒×２５５台＝７６５秒（１２分４５秒）を要する。中継器２が火災受信機１から試験指示を受信した時点で、接続確認信号を用いて感知器線に接続された感知器４のアドレスの確認が終了していないと、中継器２は、感知器線Ｌ２にどの感知器４が接続されているかを認識できない。したがって、中継器２は、試験確認信号を送信しても、感知器４が正常であるか否かを判定することができない。そこで、中継器２は、接続確認信号を送信する前に火災受信機１から試験指示を受信した場合に、自身に割り当てられた第１期間以外の期間において接続確認信号を送信する。
【００３０】
図３は、中継器２が接続確認信号を送信する前に火災受信機１から試験指示を受信した場合の動作を説明するための図である。図３において、中継器２−５は、例えば、自身に割り当てられた接続確認期間（例えば図３におけるＣ５）よりも前に到来する試験確認期間（例えば図３におけるＴ２）に含まれる第３期間において接続確認信号を送信している。そして、中継器２−５は、接続確認信号を送信した直後の第４期間において接続確認応答信号を受信した後に到来する試験確認期間（例えば図３におけるＴ３）に含まれる第３期間において、試験確認信号を送信している。
【００３１】
中継器２がこのように動作することで、感知器線Ｌ２に接続された感知器４を確認できる前に火災受信機１から試験指示を受信した場合であっても、感知器４に対して試験確認信号を送信することができる。
続いて、火災感知システムＳが備える中継器２及び感知器４の構成について説明する。
【００３２】
［中継器２の構成］
図４は、本実施形態に係る中継器２の構成を示す図である。中継器２は、第１通信部２１と、第２通信部２２と、火災感知用電源２３と、伝送用電源２４と、モード切替部２５と、記憶部２６と、制御部２７とを備える。制御部２７は、タイミング生成部２７１と、指示処理部２７２と、接続確認処理部２７３と、試験処理部２７４と、火災確認処理部２７５とを有する。
【００３３】
第１通信部２１は、伝送線Ｌ１を介して火災受信機１と通信を行うための通信インターフェースである。
第２通信部２２は、感知器線Ｌ２に所定の電圧を印加するとともに、感知器線Ｌ２を介して感知器４に各種の信号を送信するための回路である。
【００３４】
火災感知用電源２３は、感知器４が火災を感知したことを中継器２に通報するために用いる電圧（例えば２４Ｖ）を発生する電源である。伝送用電源２４は、中継器２が感知器４に各種の信号を送信するために用いる電圧（例えば１２Ｖ）を発生する電源である。火災感知用電源２３及び伝送用電源２４はモード切替部２５に接続されている。
【００３５】
モード切替部２５は、第２通信部２２を介して、火災感知用電源２３が発生した電圧又は伝送用電源２４が発生した電圧を感知器線Ｌ２に印加する。モード切替部２５は、例えば感知器４が火災を感知し、感知器線Ｌ２の電圧が閾値（例えば６Ｖ）以下に低下した場合に、火災感知用電源２３が発生した電圧を感知器線Ｌ２に印加する状態から、伝送用電源２４が発生した電圧を第２通信部２２に印加する状態に切り替える。
【００３６】
記憶部２６は、ＲＯＭ（Read Only Memory）、ＲＡＭ（Random Access Memory）及びハードディスク等の記憶媒体を含む。記憶部２６は、制御部２７が実行するプログラムを記憶する。また、記憶部２６は、感知器線Ｌ２を介して接続された１以上の感知器４のアドレスに関連付けて、感知器４の状態を記憶する。記憶部２６は、例えば、感知器４の接続状態、感知器４の試験結果、及び感知器４が火災を感知したか否か等の状態を記憶する。
【００３７】
制御部２７は、例えばＣＰＵ（Central Processing Unit）を有する。制御部２７は、記憶部２６に記憶されたプログラムを実行することにより、タイミング生成部２７１、指示処理部２７２、接続確認処理部２７３、試験処理部２７４、及び火災確認処理部２７５として機能する。
【００３８】
タイミング生成部２７１は、接続確認信号、試験確認信号、及び火災確認信号を送信するタイミングを示すタイミング信号を生成する。タイミング生成部２７１は、例えば、火災受信機１から受信した基準信号の起点からの経過時間に基づいて、接続確認信号を送信する第１期間、接続確認応答信号を受信する第２期間、試験確認信号を送信する第３期間、試験確認応答信号を受信する第４期間、火災確認信号を送信する第５期間、及び火災確認応答信号を受信する第６期間を示すタイミング信号を生成する。
【００３９】
図５は、タイミング生成部２７１が生成するタイミング信号について説明するための図である。図５における斜線の領域は、中継器２−１、中継器２−２及び中継器２−３のそれぞれに割り当てられた第１期間及び第２期間を示している。図５における白色の領域は、火災受信機１から試験指示を受信した任意の中継器２が試験確認信号を送信可能な第３期間、及び試験確認信号を受信した感知器４が試験確認応答信号を送信可能な第４期間を示している。図５における網点の領域は、感知器線Ｌ２を介して接続されたいずれかの感知器４が火災を感知した任意の中継器２が火災確認信号を送信可能な第５期間、及び火災確認信号を受信した感知器４が火災確認応答信号を送信可能な第６期間を示している。
【００４０】
タイミング生成部２７１は、図５における第１期間Ｓ１、Ｓ７、Ｓ１３を示す第１タイミング信号、第２期間Ｓ２、Ｓ８、Ｓ１４を示す第２タイミング信号、第３期間Ｓ３、Ｓ９、Ｓ１５を示す第３タイミング信号、第４期間Ｓ４、Ｓ１０、Ｓ１６を示す第４タイミング信号、第５期間Ｓ５、Ｓ１１、Ｓ１７を示す第５タイミング信号、第６期間Ｓ６、Ｓ１２、Ｓ１８を示す第６タイミング信号を生成する。
【００４１】
タイミング生成部２７１は、生成した第１タイミング信号及び第２タイミング信号のうち、中継器２のアドレスに対応する第１期間及び第２期間を示す第１タイミング信号及び第２タイミング信号を接続確認処理部２７３に入力する。例えば第１通信部２１のタイミング生成部２７１は、生成した第１タイミング信号及び第２タイミング信号を接続確認処理部２７３に入力する。タイミング生成部２７１は、例えば、生成した全ての第３タイミング信号及び第４タイミング信号を試験処理部２７４に入力する。タイミング生成部２７１は、例えば、生成した全ての第５タイミング信号及び第６タイミング信号を火災確認処理部２７５に入力する。第３タイミング信号に対応する第３期間から第６タイミング信号に対応する第６期間までは、第１タイミング信号に対応する第１期間及び第２タイミング信号に対応する第２期間と異なり複数の中継器２が共用する期間なので、図５においては破線で示している。
【００４２】
タイミング生成部２７１は、指示処理部２７２からの指示を受けたことを条件として、第３タイミング信号〜第６タイミング信号のいずれかを接続確認処理部２７３、試験処理部２７４及び火災確認処理部２７５のいずれかに入力してもよい。例えば、接続確認処理部２７３が接続確認信号を送信する前に指示処理部２７２が試験指示を受けた場合、指示処理部２７２は、第３タイミング信号を接続確認処理部２７３に入力するようにタイミング生成部２７１に指示する。この場合、タイミング生成部２７１が第３タイミング信号を接続確認処理部２７３に入力する。その結果、接続確認処理部２７３は、自身のアドレスに対応する第１期間よりも前に接続確認信号を送信することができる。
【００４３】
図４に戻り、指示処理部２７２は、火災受信機１から自動試験を実施する指示を受信したことを特定すると、試験確認信号を送信するように試験処理部２７４に指示する。指示処理部２７２は、試験処理部２７４を介して感知器４の試験結果を取得すると、取得した試験結果を火災受信機１に送信する。
【００４４】
指示処理部２７２は、火災受信機から試験指示を受信する。指示処理部２７２は、例えば、火災受信機１からポーリングを受けたことに応じて、試験結果を火災受信機１に送信する。
【００４５】
接続確認処理部２７３は、予め中継器２に割り当てられた接続確認期間において、感知器４が中継器２と通信可能な状態で感知器線Ｌ２に接続されていることを確認するために用いられる接続確認信号を感知器線Ｌ２に送信する。接続確認処理部２７３は、タイミング生成部２７１から入力された第１タイミング信号が示す第１期間に接続確認信号を感知器線Ｌ２に送信する。また、接続確認処理部２７３は、接続確認信号を送信した後の第２期間に接続確認応答信号を受信すると、タイミング生成部２７１から入力された第２タイミング信号の立ち上がりタイミングからの経過時間に基づいて、接続確認応答信号を送信した感知器４のアドレスを特定する。接続確認処理部２７３は、接続確認応答信号を送信した感知器４のアドレスを記憶部２６に記憶させる。
【００４６】
接続確認処理部２７３は、接続確認処理部２７３が接続確認信号を送信する前に指示処理部２７２が試験指示を受信した場合に、中継器２に接続されている感知器線Ｌ２に、自身に割り当てられている接続確認期間よりも前の代替期間において接続確認信号を送信する。具体的には、接続確認処理部２７３は、他の中継器２に割り当てられた接続確認期間と異なる代替期間において接続確認信号を送信する。接続確認処理部２７３は、例えば試験処理部２７４が試験確認信号を送信することが可能な試験確認期間を代替期間として接続確認信号を送信する。接続確認処理部２７３は、他の複数の中継器２に割り当てられた複数の接続確認期間の間の期間を代替期間として接続確認信号を送信してもよく、例えば、火災確認期間に接続確認信号や試験確認信号を送信してもよい。
【００４７】
試験処理部２７４は、指示処理部２７２が試験指示を受信したことに応じて、中継器２に接続されている感知器４に、試験結果を送信することを要求する試験確認信号を送信する。試験処理部２７４は、タイミング生成部２７１から入力された第３タイミング信号が示すいずれかの第３期間に試験確認信号を感知器線Ｌ２に送信する。また、試験処理部２７４は、試験確認信号を送信した後の第４期間に試験確認応答信号を受信すると、タイミング生成部２７１から入力された第４タイミング信号の立ち上がりタイミングからの経過時間に基づいて、試験確認応答信号を送信した感知器４のアドレスを特定する。試験処理部２７４は、感知器４のアドレス及び試験結果を関連付けて指示処理部２７２に通知する。試験処理部２７４は、試験確認応答信号を送信した感知器４のアドレスに関連付けて、試験確認応答信号が示す試験結果を記憶部２６に記憶させてもよい。
【００４８】
火災確認処理部２７５は、感知器線Ｌ２の電圧の変化に基づいて、感知器線Ｌ２を介して接続されたいずれかの感知器４が火災を感知したことを検出すると、タイミング生成部２７１から入力された第５タイミング信号が示すいずれかの第５期間に火災確認信号を感知器線Ｌ２に送信する。また、火災確認処理部２７５は、火災確認信号を送信した後の第６期間に火災確認応答信号を受信すると、タイミング生成部２７１から入力された第６タイミング信号の立ち上がりタイミングからの経過時間に基づいて、火災確認応答信号を送信した感知器４のアドレスを特定する。火災確認処理部２７５は、感知器４のアドレス及び試験結果を関連付けて指示処理部２７２に通知する。火災確認処理部２７５は、火災確認応答信号を送信した感知器４のアドレスに関連付けて、火災確認応答信号が示す火災発生状況を記憶部２６に記憶させてもよい。
【００４９】
［感知器４の構成］
続いて、感知器４の構成について説明する。図６は、本実施形態に係る感知器４の構成を示す図である。感知器４は、通信部４１と、火災検出部４２と、記憶部４３と、制御部４４とを備える。制御部４４は、信号送受信部４４１及びタイミング生成部４４２を有する。
【００５０】
通信部４１は、感知器線Ｌ２を介して中継器２と通信を行う通信インターフェースである。通信部４１は、火災検出部４２が火災を検出した場合に感知器線Ｌ２の電圧を低下させる。また、通信部４１は、中継器２に対して応答信号を送信する場合に、感知器４に割り当てられた期間に応答信号を送信する。
【００５１】
火災検出部４２は、火災の発生を感知する熱センサー又は煙センサー等のデバイスを有する。火災検出部４２は、火災の発生を感知した場合に、火災の発生を感知したことを示す信号を通信部４１に通知する。
【００５２】
記憶部４３は、ＲＯＭやＲＡＭ等の記憶媒体を含む。記憶部４３は、アドレス設定器（例えばコンピュータ）により設定される感知器４のアドレスを記憶する。また、記憶部４３は、感知器４が中継器２と通信を行う期間を規定する設定情報を記憶する。
【００５３】
制御部４４は、例えば制御回路又はＣＰＵを有しており、信号送受信部４４１及びタイミング生成部４４２として機能する。信号送受信部４４１は、中継器２から接続確認信号を受信すると、接続確認信号を送信した中継器２に応答信号を送信する応答信号送信部として機能する。信号送受信部４４１は、中継器２から送信される接続確認信号、試験確認信号及び火災確認信号を受信し、これらの信号に対する応答信号を送信する。
タイミング生成部４４２は、中継器２から接続確認信号、試験確認信号又は火災確認信号を受信したタイミングと、記憶部４３に記憶されたアドレスに基づいて、これらの信号に対する応答信号を送信する期間を決定する。
【００５４】
［中継器２の動作フローチャート］
図７は、中継器２の動作フローチャートである。図７に示す動作フローチャートは、中継器２が火災受信機１から基準信号を受信した時点から開始している。タイミング生成部２７１は、受信した基準信号に基づいて各種のタイミング信号を生成する。
【００５５】
制御部２７は、接続確認信号を送信する処理をするタイミングが到来したかどうかを監視する（Ｓ１１）。制御部２７は、例えばタイミング生成部２７１が第１タイミング信号を発生したことにより、接続確認処理部２７３が接続確認処理をするタイミングであると判定する（Ｓ１１においてＹＥＳ）。この場合、接続確認処理部２７３が、第１タイミング信号が示す接続確認信号を送信するために自身の中継器２に割り当てられた接続確認期間内の第１期間において、接続確認信号を送信する（Ｓ１２）。
【００５６】
その後、接続確認処理部２７３は、接続確認応答信号を受信するまで待機し（Ｓ１３）、接続確認応答信号を受信すると、接続確認応答信号を送信した感知器４のアドレスを、感知器線Ｌ２に接続されている感知器４のアドレスとして記憶部２６に記憶させる（Ｓ１４）。接続確認処理部２７３は、接続確認信号を送信してから所定のタイムアウト時間を経過しても接続確認応答信号を受信しない感知器４のアドレスを、感知器線Ｌ２に接続されていない感知器４のアドレスとして記憶部２６に記憶させてもよい。
【００５７】
続いて、指示処理部２７２が火災受信機１から試験指示を受信すると（Ｓ１５）、試験処理部２７４は、試験確認信号を送信する（Ｓ１６）。試験処理部２７４は、試験確認信号に対する試験確認応答信号を受信するまで待機する（Ｓ１７）。試験処理部２７４は、試験確認応答信号を受信すると、指示処理部２７２を介して、試験確認応答信号が示す試験結果を火災受信機１に送信する（Ｓ１８）。
【００５８】
制御部２７は、Ｓ１１において接続確認信号を送信する処理をするタイミングが到来したと判定する前に（Ｓ１１においてＮＯ）、指示処理部２７２が火災受信機１から試験の指示を受信すると（Ｓ１９においてＹＥＳ）、他の中継器２に割り当てられた接続確認期間と異なる代替期間に接続確認信号を送信することを接続確認処理部２７３に指示する（Ｓ２０）。接続確認処理部２７３は、指示に基づいて、試験用確認信号の送信用に割り当てられている第３期間、又は火災確認信号の送信用に割り当てられている第５期間に接続確認信号を送信する。
【００５９】
その後、接続確認処理部２７３は、接続確認応答信号を受信するまで待機し（Ｓ２１）、接続確認応答信号を受信すると、接続確認応答信号を送信した感知器４のアドレスを、感知器線Ｌ２に接続されている感知器４のアドレスとして記憶部２６に記憶させる（Ｓ２２）。制御部２７は、その後はＳ１６以降の処理を実行する。
【００６０】
［本実施形態における効果］
以上説明したように、本実施形態に係る中継器２が有する接続確認処理部２７３は、接続確認処理部２７３が接続確認信号を送信する前に指示処理部２７２が火災受信機１から試験指示を受信した場合に、接続確認用期間よりも前の代替期間（例えば試験確認期間又は火災確認期間）において接続確認信号を送信する。接続確認処理部２７３がこのように動作することで、中継器２は、感知器４のアドレスを確認するために割り当てられた期間が到来するまでに長時間を要する場合に、感知器４のアドレスを中継器２が確認する前に火災受信機１から試験指示を受信したとしても、接続されている感知器４のアドレスを確認した上で、火災受信機１からの指示に応じて速やかに感知器４の試験結果を取得することが可能になる。
【００６１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６２】
１  火災受信機
２  中継器
３  中継盤
４  感知器
５  終端器
２１  第１通信部
２２  第２通信部
２３  火災感知用電源
２４  伝送用電源
２５  モード切替部
２６  記憶部
２７  制御部
４１  通信部
４２  火災検出部
４３  記憶部
４４  制御部
２７１  タイミング生成部
２７２  指示処理部
２７３  接続確認処理部
２７４  試験処理部
２７５  火災確認処理部
４４１  信号送受信部
４４２  タイミング生成部
【図１】
2020123278.tif 000003
【図２】
2020123278.tif 000004
【図３】
2020123278.tif 000005
【図４】
2020123278.tif 000006
【図５】
2020123278.tif 000007
【図６】
2020123278.tif 000008
【図７】
2020123278.tif 000009